(57)【特許請求の範囲】
【請求項１】
試験媒体をリークする被試験体に、試験媒体を注排できる入口筒部の端部を接続してコーナ部とし、
前記被試験体の入口筒部に挿入した中袋破損防止管の一端部を、前記コーナ部よりも内側まで突出させて配置し、
前記中袋破損防止管の内側を通して前記被試験体の中に入れた前記試験媒体注入用の中袋を、該試験媒体で加圧することにより膨張させて前記被試験体内に圧力を作用させ、前記被試験体の耐圧試験を行うこと
を特徴とする被試験体の耐圧試験方法。
【請求項２】
前記試験媒体注入用の中袋は、薄膜状材として、前記中袋破損防止管内を通して前記被試験体の中に入れられて膨張させられるようにする
請求項１記載の被試験体の耐圧試験方法。
【請求項３】
前記試験媒体注入用の中袋は、前記中袋破損防止管内に位置する注入口を通して注入される前記試験媒体により前記中袋破損防止管の一端部より膨張させられるようにする
請求項２記載の被試験体の耐圧試験方法。
【発明の詳細な説明】
【技術分野】
【０００１】
本発明は、空気又は水の如き流体を試験媒体とする場合にリークする被試験体の耐圧試験を、流体を試験媒体として実施する被試験体の耐圧試験方法に関するものである。
【背景技術】
【０００２】
被試験体の耐圧試験は、被試験体の内側に試験媒体を注入して圧力を作用させることにより行われている。
【０００３】
被試験体が、空気又は水の如き流体をリークさせるような布製の袋、あるいは隙間のある容器等の場合は、このような流体を試験媒体として用いての耐圧試験を実施することはできない。
【０００４】
このような場合は、流体以外の試験媒体、たとえば、土砂等の流動物を、被試験体内に詰めて圧力を作用させるようになるが、被試験体内に圧力を作用させることが難しい。
【０００５】
そのため、被試験体の耐圧試験においては、試験媒体として流体を用いることが従来より行われている。
【０００６】
従来の流体を試験媒体とし且被試験体が流体をリークする場合の耐圧試験方法としては、一例として圧力容器の試験方法がある。
【０００７】
この圧力容器の試験方法で行われる耐圧試験は、圧力容器の開口から圧力容器内に、試験圧力に耐え得る液体不浸透性である袋状部材を収納し、該袋状部材の開口を有する突出部を導出させたカバーを、圧力容器の開口に取り付け、袋状部材の開口より袋状部材内に液体を注入して試験圧力を加えるようにするものである（たとえば、特許文献１参照）。
【０００８】
しかし、特許文献１に記載されたものは、圧力容器の耐圧試験において、圧力容器内に開口より袋状部材を収納した後、開口を有する突出部を、圧力容器の開口に取り付けるカバーから導出させておくものであるが、袋状部材の開口を有する突出部分の破損防止を図るようにしたものではない。
【０００９】
又、別の例として、モータケースの耐圧試験において、モータケースの内側にゴムバッグを形成し、このゴムバッグの内部に水を加圧供給することにより、モータケースの内側から圧力が加えられるようにするものも提案されている（たとえば、特許文献２参照）。
【００１０】
しかし、特許文献２に記載されたものは、モータケースの内側で剥離用フィルムにゴム層を一体成形してゴムバッグを形成しているもので、ゴムバッグを縮小させてモータケース内に挿入して膨張させるものではない。
【００１１】
しかも、特許文献２に記載されたものでは、モータケース内にゴムバッグを挿入して膨張させるときのゴムバッグの破損を防止するという考えは全くないものである。
【先行技術文献】
【特許文献】
【００１２】
【特許文献１】特開昭５８−１５３１３６号公報
【特許文献２】特開平６−２４９０７１号公報
【発明の概要】
【発明が解決しようとする課題】
【００１３】
そこで、本発明は、流体がリークするような被試験体の耐圧試験において、試験媒体に流体を用いて耐圧試験ができるようにすると共に、被試験体内に入れる耐圧用中袋の破損を防止できるようにした被試験体の耐圧試験方法を提供しようとするものである。
【課題を解決するための手段】
【００１４】
本発明は、上記課題を解決するために、試験媒体をリークする被試験体に、試験媒体を注排できる入口筒部の端部を接続してコーナ部とし、前記被試験体の入口筒部に挿入した中袋破損防止管の一端部を、前記コーナ部よりも内側まで突出させて配置し、前記中袋破損防止管の内側を通して前記被試験体の中に入れた前記試験媒体注入用の中袋を、該試験媒体で加圧することにより膨張させて前記被試験体内に圧力を作用させ、前記被試験体の耐圧試験を行う方法とする。
【００１５】
又、前記構成において、前記試験媒体注入用の中袋は、薄膜状材として、前記中袋破損防止管内を通して前記被試験体の中に入れられて膨張させられるようにする被試験体の耐圧試験方法とし、更に、前記試験媒体注入用の中袋は、前記中袋破損防止管内に位置する注入口を通して注入される前記試験媒体により前記中袋破損防止管の一端部より膨張させられるようにする被試験体の耐圧試験方法とする。
【発明の効果】
【００１６】
本発明の被試験体の耐圧試験方法によれば、以下のような優れた効果を発揮する。
（１）試験媒体を注入して膨らませる中袋を被試験体の中に入れるときに、中袋破損防止管の内側をガイドとして通すので、中袋を被試験体に入れるとき、該中袋を破損させることがない。
（２）被試験体の中に入れた中袋を、試験媒体の注入による加圧により膨張するとき、中袋破損防止管の一端部に沿って膨張させられるため、被試験体の入口側のコーナ部と中袋の干渉を避けることができて、破損を防止することができる。
【図面の簡単な説明】
【００１７】
【図１】本発明の実施の一形態を示す概要図である。
【図２】図１の状態から被試験体の耐圧試験を行う状態を示す概要図がある。
【図３】（ａ）は図１のＡ部の拡大図、（ｂ）は図１のＢ部の拡大図である。
【発明を実施するための形態】
【００１８】
以下、本発明を実施するための形態を図面を参照して説明する。
【００１９】
図１乃至図３（ａ）（ｂ）は本発明の被試験体の耐圧試験方法の実施の一形態として、試験媒体とする流体１２はリークするが耐圧強度を有する布製の袋（以下、布袋という。）１を被試験体として耐圧試験を行う場合を示している。
【００２０】
本発明の被試験体の耐圧試験方法は、布袋１の中に試験媒体注入用の中袋１０を入れ、この中袋１０を加圧することにより、布袋１の間接的な耐圧試験を行うようにし、その際、中袋１０の主として試験媒体注入部付近の破損のおそれをなくした耐圧試験とする。
【００２１】
布袋１は袋本体２と該袋本体２内への注入口となる入口筒部３とから構成されている。
【００２２】
袋本体２は、図１に一例を示すように、胴部２ａと該胴部２ａの両端部に縫合により接続された端面部２ｂとからなっており、接続部分はコーナ部４となっている。
【００２３】
入口筒部３は、布袋１を閉じるときに必要となる長さを有する筒形状としてあり、一端側は袋本体２に形成された開口５（図３（ａ）参照）に縫合により接続されており、接続部分はコーナ部６となっている。
【００２４】
入口筒部３の他端側は、開口７となっている。
【００２５】
袋本体２の入口側のコーナ部６では、袋本体２の開口５と入口筒部３の各端縁部が図３（ａ）に示す如く内側に折返されて重ねられて縫合されている。そのため、コーナ部６の縫目８は、袋本体２の内側にあり、コーナ部６の内側は縫目８による布の折返し部が内側に出張っている状態とされている。
【００２６】
袋本体２の両端部側のコーナ部４では、胴部２ａと端面部２ｂの各端縁部が図３（ｂ）に示す如く外側に折返されて重ねられて縫合されている。そのため、コーナ部４の縫目８は袋本体２の外側にあり、コーナ部４の内側は出張りのない滑らかな面とされている。
【００２７】
布袋１の中に入れる中袋１０は、布袋１の入口筒部３内を通して袋本体２の中に入れて加圧することにより膨張して間接的に布袋１の耐圧試験ができるようにされている。
【００２８】
そのために、中袋１０は、膨張、収縮ができるような薄膜状材、たとえば、ゴム製、ビニル製等が用いられている。又、中袋１０は、布袋１の入口筒部３内の細い空間部を通して袋本体２の中に入れることができるように、収縮すると小さく折りたためるようになっている。
【００２９】
又、中袋１０は、加圧できるように、試験媒体の流体１２を透過させることなく、布袋１の間接的な耐圧試験に耐えられる耐圧性を有するものとしてある。
【００３０】
更に、中袋１０は、膨張したときの外径寸法が袋本体２の内径寸法よりも大きくなるような構成としてあり、袋本体２の中で加圧されて膨張させられたときに、袋本体２に内圧を作用させて、布袋１の間接的な耐圧試験ができるようにされている。
【００３１】
中袋１０には、たとえば、ゴム風船の口の如き筒状の注入口１１がある。この中袋１０の注入口１１の長さは、布袋１の入口筒部３とほぼ同じ長さ寸法とされている。又、中袋１０の注入口１１の外径は、布袋１の入口筒部３の内径よりも小さい寸法となっており、布袋１の耐圧試験で、中袋１０を布袋１の袋本体２内に入れて、注入口１１を布袋１の入口筒部３の内側に挿入して位置させたときに、注入口１１と入口筒部３との間に隙間が形成されるようになっている。
【００３２】
ところで、中袋１０は、収縮させると小さく折りたたまれるため、布袋１の中に入口筒部３内を通して入れることはできるが、入口筒部３が布製であることから、入口筒部３の開口５からコーナ部６に至る範囲で中袋１０の滑りが悪い。そのため中袋１０は、円滑に通過することが難しい。特に、中袋１０がゴム製の袋の場合は、その傾向が顕著である。一方、布袋１の中に入れられた中袋１０を加圧して膨張させるときは、中袋１０はコーナ部６に沿って膨張させられるため、コーナ部６の縫目８が内側にあって布地の折返し部が内側へ出張っている場合には、コーナ部６に接触して移動させられる中袋１０が破損するおそれがある。特に、中袋１０がゴム製の袋の場合は、その傾向が顕著である。
【００３３】
本発明は、このような点に鑑み、布袋１の入口筒部３の内側と中袋１０の注入口１１の外側に形成される隙間に、中袋破損防止管１３を配置することと、この中袋破損防止管１３の入口筒部３内への挿入端側の一端部１３ａを、布袋１のコーナ部６よりも内側まで突出させて位置させた構成を有する。
【００３４】
中袋破損防止管１３は、樹脂製で直管形状とされている。又、中袋破損防止管１３は、容易に屈曲したり、径方向に変形することがないような或る程度の剛性を有しているものが好ましいが、内径部は中袋１０を円滑に通過させ得る滑らかな面になっていればよい。更に、中袋破損防止管１３の一端部１３ａの少なくとも内径側端部は、滑らかな円弧形状としてあることが好ましいが、中袋１０を円滑に展開させることができれば円弧形状でなくてもよい。
【００３５】
中袋破損防止管１３は、前記したように、中袋１０のガイドと保護を図るもので、中袋１０の注入口１１とほぼ同じ長さであるが、注入口１１の外径よりも大きい内径とされている。又、中袋破損防止管１３は、布袋１の入口筒部３の内側に挿入されるように入口筒部３の内径よりも小さい外径寸法とされている。これにより、中袋破損防止管１３は、布袋１の入口筒部３と中袋１０の注入口１１との間の隙間に位置するように配置され、中袋１０を布袋１の中に入れるときに、入口筒部３からコーナ部６に至る範囲で中袋１０のガイドと保護が用いられる。更に、中袋１０は、布袋１内で膨張するときに、中袋破損防止管１３によりコーナ部６への接触が防止され、中袋１０の破損防止が図られている。
【００３６】
１４は、中袋１０の注入口１１に加圧ライン１５を接続するカプラ、１６はカプラ１４の一端を注入口１１の開口部に挿入した状態で該カプラ１４と注入口１１と中袋破損防止管１３と入口筒部３とを一体化しておくための加締リングである。この加締リング１６は加締めることにより入口筒部３、中袋破損防止管１３、注入口１１、カプラ１４が一体的に締付けられて固定されるようにされている。
【００３７】
空気や水の如き流体１２を試験媒体として布袋１の耐圧試験を行う場合は、中袋破損防止管１３を入口筒部３の内側へ挿入して配置した状態とする。次いで、中袋１０は中袋破損防止管１３内を通して布袋１の中に入れる。この場合、中袋１０は収縮させた状態で中袋破損防止管１３内へ入口側から入れて押し込む。
【００３８】
中袋破損防止管１３の内径部は、ガイドとして機能するようにしてあるため、中袋破損防止管１３内に押し込まれた中袋１０は、円滑に中袋破損防止管１３内を通過でき、図１に示す如く、たとえば、ゴム風船を膨らませる前の状態で布袋１の中に入れられる。この際、中袋１０は中袋破損防止管１３の内径部でガイドされるため、破損するおそれはなくなる。
【００３９】
中袋１０が布袋１の中に入れられて、注入口１１が中袋破損防止管１３の内側に位置させられた状態になると、注入口１１には、カプラ１４の端部を挿入させると共に、入口筒部３の外側に配置した加締リング１６を加締めて、カプラ１４と中袋破損防止管１３との間に挟まれた注入口１１を締付け保持させる。
【００４０】
次に、カプラ１４には、加圧ライン１５の端部を接続する。しかる後、中袋１０には、加圧ライン１５を通して供給される流体１２が試験媒体として注入されて加圧される。この際、加圧ライン１５は、布袋１に接続する必要がないので、現場での施工性がよいという利点がある。
【００４１】
中袋１０は、布袋１の内径寸法より大きな外径寸法としてあるため、布袋１の中で流体１２で加圧されることにより、図２に示すように膨張させられて布袋１の内面を加圧することで、流体１２を用いた布袋１の耐圧試験が行われる。上記において、布袋１の中で中袋１０を加圧することにより膨張させる際、中袋１０は、中袋破損防止管１３の布袋１側の一端部１３ａから膨張させられて布袋１の内面に沿わされる。しかも、中袋破損防止管１３の一端部１３ａは、布袋１のコーナ部６よりも布袋１の内側へ位置させられているため、中袋破損防止管１３の一端部１３ａから膨張させられる中袋１０は、図２に示すようにコーナ部６から離れた位置より布袋１の内面に接するようになる。そのため、コーナ部６に中袋１０が接触することにより中袋１０が破損するという事態は、未然に防止されることになる。
【００４２】
上記のようにして布袋１の耐圧試験が終了すると、布袋１の中に入れた中袋１０と中袋破損防止管１３は、布袋１から撤去し、次に行う別の布袋１の耐圧試験に用いられるようにする。
【００４３】
布袋１の中から中袋１０を撤去するときは、先ず、加圧ライン１５を介して中袋１０内から流体１２を吸引排出させるか、加圧ライン１５をカプラから取り外した後に、中袋１０内から流体１２を排出させ、中袋１０を収縮させる。
【００４４】
次いで、カプラ１４を注入口１１から取り外す。この際、加締リング１６が加締られているため、カプラ１４が取り外せない場合は、加締リング１６を緩めるか又は加締リング１６を取り外す。
【００４５】
このようにしてカプラ１４が取り外されると、中袋１０を布袋１の外へ引き出す。この操作は、注入口１１を中袋破損防止管１３の入口側より引き出すことにより、中袋１０は中袋破損防止管１３内を通して引き出される。この際、中袋１０は、中袋破損防止管１３の内径部をガイドとして引き出されるので、破損することなく引き出される。
【００４６】
次に、中袋破損防止管１３を布袋１の入口筒部３の内側から取り出すことにより、布袋１からの中袋１０と中袋破損防止管１３の撤去を終了する。この場合、加締リング１６があるために、入口筒部３と中袋破損防止管１３との分離が難しい場合は、入口筒部３を、加締リング１６近くで切断するようにすればよい。
【００４７】
別の布袋１の耐圧試験を、流体１２を試験媒体として行う場合は、前記と同様に、中袋破損防止管１３を布袋１の入口筒部３内に挿入して配置させた後、その中袋破損防止管１３内を通して中袋１０を布袋１の中に入れて加圧することにより、間接的な耐圧試験を繰り返し行うことができる。
【００４８】
耐圧試験が行われた被試験体の布袋１は、その中に、たとえば、土砂、グラウト、骨材等を詰めておき、災害時等において、積み上げて水や砂の移動を妨げるものとして使用される。
【００４９】
なお、本発明は前記した実施の形態のみに限定されるものではない。たとえば、布袋１の入口筒部３の外側から加締リング１６で加締める場合を説明し、中袋破損防止管１３を入口筒部３から取り外すときに、入口筒部３を切断する場合を説明したが、入口筒部３の長さを中袋破損防止管１３よりも短くして、入口筒部３を除いて中袋破損防止管の外側を加締めるようにしてもよい。
【００５０】
耐圧試験の被試験体として布袋１を例示したが、布袋１の形状は図示以外のものでも同様に耐圧試験が実施できること、又、布袋１に代えて、薄肉容器の耐圧試験も同様に実施できること、その他本発明の要旨を逸脱しない範囲内で種々変更を加え得ることは勿論である。
【符号の説明】
【００５１】
１  布袋（被試験体）、２  袋本体、３  入口筒部、６  コーナ部、１０  中袋、１１  注入口、１２  流体（試験媒体）、１３  中袋破損防止管、１３ａ  中袋破損防止管の一端部、１５  加圧ライン
【図１】
0006299522.tif 000002
【図２】
0006299522.tif 000003
【図３】
0006299522.tif 000004